(57)【要約】
【課題】呼吸が楽に行え、かつ容易に低コストで製造できるマスク及びその製造方法を提供すること。
【解決手段】布地で構成され、少なくとも口と鼻を覆うマスク本体１と、一対の耳掛け部２、２とを備え、
前記マスク本体１は、着用した状態で内側に呼吸用空間１６を形成可能に布地を前方へ湾曲させ保持するギャザ１１、１１が左右両端部に設けられてなるマスクを提供する。
【選択図】図１
0003100614.tif 000002
【実用新案登録請求の範囲】
【請求項１】
布地で構成され、少なくとも口と鼻を覆うマスク本体と、一対の耳掛け部とを備え、
前記マスク本体は、着用した状態で内側に呼吸用空間を形成可能に布地を前方へ湾曲させ保持するギャザが左右両端部に設けられてなることを特徴とするマスク。
【請求項２】
布地は、外面布地部と内面布地部とからなる二重構造に形成されている請求項１に記
載のマスク。
【請求項３】
マスク本体は、その外側の湾曲した頂部が、上下方向の中間位置よりも上位に形成されている請求項１又は２に記載のマスク。
【請求項４】
マスク本体の内側に、フィルタ挟持部が設けられている請求項１〜３の何れか１つに記載のマスク。
【請求項５】
フィルタ挟持部は、少なくともその唇に接する部分が水分をマスクの内側から外側へ移動させる材質にて構成されてなる請求項４に記載のマスク。
【請求項６】
フィルタ挟持部は、少なくともその唇に接する部分に抗菌性が付与されている請求項４又は５に記載のマスク。
【請求項７】
マスク本体は、その内部に保持されたワイヤ、ゴム、軟質合成樹脂、形状記憶樹脂又はこれらのうちの少なくとも２つを選択してなる複合材料で構成された芯材をさらに有する請求項１〜６の何れか１つに記載のマスク。
【請求項８】
マスク本体の裏面側の上縁近傍でかつ左右１対で設けられ、装着時に両頬から鼻梁へ立ち上がる部分とマスク本体の少なくとも上縁部との間に形成され得る隙間を閉塞する上部閉塞部材をさらに備えてなる請求項１〜７の何れか１つに記載のマスク。
【請求項９】
上部閉塞部材が、マスク本体の裏面側の上縁近傍に、内側に折り曲げ可能に取り付けられる弾性フラップである請求項８に記載のマスク。
【請求項１０】
弾性フラップは、その左右中央寄りの内端側が、該フラップを内側に折り曲げたときに鼻梁又はその近傍に沿うように形成されてなる請求項９に記載のマスク。
【請求項１１】
弾性フラップは、該フラップを内側に折り曲げた状態で少なくともその外端部がマスク本体に固定されてなる請求項９又は１０に記載のマスク。
【請求項１２】
上部閉塞部材が、マスク本体の裏面側の上縁近傍で、かつ左右中央寄りに付設されるパッド材である請求項８に記載のマスク。
【請求項１３】
パッド材が、マスク本体に着脱可能に取り付けられている請求項１２に記載のマスク。
【請求項１４】
パッド材が、マスク本体の裏面側の上縁近傍に、内側に折り返し可能に取り付けられている請求項１２に記載のマスク。
【請求項１５】
パッド材が、弾性パッドである請求項１２〜１４の何れか１つに記載のマスク。
【請求項１６】
弾性パッドが、袋状物に収納されている請求項１５に記載のマスク。
【請求項１７】
パッド材が、外力に応じて変形可能な可塑性パッドである請求項１２〜１４の何れか１つに記載のマスク。
【請求項１８】
可塑性パッドが、流動性を維持する粉体、ゲル状物又は液体を充填封入した袋体からなる請求項１７に記載のマスク。
【請求項１９】
マスク本体の裏面側の下縁近傍に設けられ、装着時に少なくとも下唇の下部とマスク本体下縁部との間に形成され得る隙間を閉塞する下部閉塞部材をさらに備えてなる請求項１〜１８の何れか１つに記載のマスク。
【請求項２０】
下部閉塞部材が、マスク本体の裏面側の下縁近傍に付設される下パッド材である請求項１９に記載のマスク。
【請求項２１】
下パッド材が、マスク本体に着脱可能に取り付けられている請求項２０に記載のマスク。
【請求項２２】
下パッド材が、マスク本体の裏面側の下縁近傍に、内側に折り返し可能に取り付けられている請求項２０に記載のマスク。
【請求項２３】
下パッド材が、下弾性パッドである請求項２０〜２２の何れか１つに記載のマスク。
【請求項２４】
下弾性パッドが、袋状物に収納されている請求項２３に記載のマスク。
【請求項２５】
下パッド材が、外力に応じて変形可能な下可塑性パッドである請求項２０〜２２の何れか１つに記載のマスク。
【請求項２６】
下可塑性パッドが、流動性を維持する粉体、ゲル状物又は液体を充填封入した袋体からなる請求項２５に記載のマスク。
【請求項２７】
耳掛け部が耳掛け紐からなり、この耳掛け紐は、その幅の略中央部で折曲げられてマスク本体の上縁部及び下縁部を挟み込んだ状態で取り付けられている請求項１〜２６の何れか１つに記載のマスク。
【請求項２８】
耳掛け部が、耳掛け紐の長さを調節する紐長さ調節部材をさらに備えてなる請求項２７に記載のマスク。
【請求項２９】
マスク本体又は耳掛け部の少なくともいずれかにアクセサリが設けられている請求項１〜２８の何れか１つに記載のマスク。
【請求項３０】
マスク本体、耳掛け紐又は紐長さ調節部材の少なくともいずれかにアクセサリが設けられている請求項２８に記載のマスク。
【請求項３１】
紐長さ調節部材が、耳掛け紐部分又は耳掛け紐部分とマスク本体の耳掛け紐接続部に設けられている請求項２８〜３０の何れか１つに記載のマスク。
【請求項３２】
マスク本体の外側又は内側の何れかに、マスク本体の外面又は内面を実質的に覆う大きさで、かつ直径が０．３μｍ以上の大きさの空気中の微粒子を９５％以上カットできるろ過能力を有するフィルタ部材がさらに設けられてなる請求項１〜３１の何れか１つに記載のマスク。
【請求項３３】
フィルタ部材が、マスク本体に着脱可能に取り付けられている請求項３２に記載のマスク。
【請求項３４】
マスク本体の外側に着脱可能に取り付けられる通気性のマスクカバーをさらに備えてなる請求項１〜３３の何れか１つに記載のマスク。
【考案の詳細な説明】
【技術分野】
【０００１】
本考案は、鼻と口を覆うマスクに関する。
【背景技術】
【０００２】
この種のマスクとしては、例えば衛生マスク、防塵マスク、手術用マスクなどが知られているが、具体的には、花粉の吸引や、病原菌などの吸引又は放出を防止する目的で装着する従来の衛生マスクとしては、平面状のガーゼからなるマスク本体に耳掛け紐が付いたものが一般的である。しかし、このマスクでは、着用すると呼吸しずらいという問題があった。
そのため、最近では、マスク本体の内部にカップを入れたマスク（特許文献１）や、布地をひだ状に折って縫製した蛇腹状のマスク本体を使用時に外側へ膨らませるマスク（特許文献２）等、装着状態において鼻の下に空間を形成して呼吸が楽にできるマスクが使用されるようになってきている。
【特許文献１】特開平９−２７６４２４号公報
【特許文献２】特開２００１−３１４５２０号公報
【考案の開示】
【考案が解決しようとする課題】
【０００３】
しかしながら、前者では、部材点数及び製造工程数が増加してコストアップとなり、また、装着した状態で話をしたりガムや食べ物を噛んだりして顎を上下に動かすと、マスクが目の方へずれ上がり易く、ずれ上がったマスクをその都度手で下へ引っ張って元の位置に戻さなければならず面倒であるという不具合もあった。後者では、製造に手間を要しかつデザインもよくなかった。また、これら従来のマスクでは、装着した際に両頬から鼻梁へ立ち上がる部分とマスクとの間に隙間が形成され、この隙間からマスク内側に花粉や微粒子や病原菌等が侵入し易く、特に俯いたときに隙間が大きくなるので、花粉などの鼻や口への浸入をマスクによって十分に遮断しているとは言えなかった。
【０００４】
そこで、本考案の主要な目的の一つは、呼吸が楽に行え、かつ容易に低コストで製造できるマスクを提供することにある。
また、本考案のもう一つの主要な目的の一つは、装着時に両頬から鼻梁へ立ち上がる部分とマスクとの間に隙間が形成されないマスクを提供することにある。
また、本考案のもう一つの主要な目的の一つは、装着時に顎を上下に動かしてもずれ上がり難いマスクを提供することにある。
【課題を解決するための手段】
【０００５】
上記のような目的を達成するために、本考案に係るマスクは、布地で構成され、少なくとも口と鼻を覆うマスク本体と、一対の耳掛け部とを備え、
前記マスク本体は、着用した状態で内側に呼吸用空間を形成可能に布地を前方へ湾曲させ保持するギャザが左右両端部に設けられてなるのである。
【考案の効果】
【０００６】
本考案のマスクは、マスク本体の左右両端部にギャザを設けたことにより、マスク本体の左右両端が絞られ、それによってマスク本体の中央部分が前方へ突出状に湾曲し、かつその内側に着用時の呼吸用空間の凹みが形成された構成となっている。したがって、その凹みに使用者の鼻が収まってマスク本体によって鼻が押さえ付けられず、かつ鼻の下に呼吸用空間が形成されて呼吸を楽に行うことができる。また、ギャザを緻密にすることによって使用者の両耳側の頬にマスク本体の左右両端部を隙間無くフィットさせることができ、マスク本体の左右両端部から内側への塵、埃及び微粒子等の侵入を確実に防止することができる。
【考案を実施するための最良の形態】
【０００７】
本考案において、布地は、外面布地部と内面布地部とからなる二重構造に形成されているのもよい。このようにすれば、剛性部の膨らみ形状がより一層補強されると共に、外部からの花粉や病原菌の侵入及び外部への病原菌の放出をより一層防止することができる。
また、マスク本体は、その外側の湾曲した頂部が、上下方向の中間位置よりも上位に形成されていれば、マスク着用状態を横から見て、マスク本体の上部は鼻筋に沿って傾斜し、頂部が鼻頭の位置に一致し、頂部から下方にかけてはあごの方へ傾斜したマスク形状となるため、横顔のラインにマッチするデザイン性に優れたマスクとなって好ましい。
【０００８】
本考案において、マスク本体の内側にフィルタ挟持部が設けられれば、例えば微小な花粉や病原菌あるいは微粒子（例えばタバコの煙の微粒子、排気ガスの微粒子など）等を吸着除去し得るフィルタをフィルタ挟持部に収納、交換することができて好ましい。
また、フィルタ挟持部は、少なくともその唇に接する部分が水分をマスクの内側から外側へ移動させる材質にて構成されてなることが、マスク内側の蒸れを軽減できる上で好ましく、さらに、少なくともその唇に接する部分に抗菌性が付与されていることが、衛生上好ましい。
【０００９】
本考案において、マスク本体は、その内部に保持されたワイヤ、ゴム、軟質合成樹脂、形状記憶樹脂又はこれらのうちの少なくとも２つを選択してなる複合材料で構成された芯材をさらに有するものであってもよい。複合材料からなる芯材としては、例えばワイヤ線をゴム又は軟質合成樹脂にて被覆したものが挙げられる。この芯材は、マスク本体の左右方向の中央位置に、かつ上下方向の中間位置よりも上位に頂部が配置されるように略への字形に折り曲がった形状に形成され、マスク本体内に挿入される。この場合、マスク本体には、その左右方向の中央位置に、例えば上端に開口部を有する上下方向の芯材挿入用筒袋部を予め形成するか、あるいは左右端の一方に開口部を有し、鼻頭がくる位置を通る左右方向の芯材挿入用筒袋部を予め形成する。
このように芯材を備えることにより、マスク本体内に芯材を挿入するだけで布地を前方へ容易に湾曲させ、かつ型崩れせずに長時間保持することができ、それによって呼吸用空間を容易に確保できる。なお、ワイヤとして形状記憶合金を用いれば、マスク本体の膨らみ形状をさらに長期間保持できて好ましい。
【００１０】
また、本考案のマスクは、マスク本体の裏面側の上縁近傍でかつ左右１対で設けられ、装着時に両頬から鼻梁へ立ち上がる部分とマスク本体の少なくとも上縁部との間に形成され得る隙間を閉塞する上部閉塞部材をさらに備えてなるものであってもよい。
つまり、両頬から鼻梁へ立ち上がる部分とマスクとの間を上部閉塞部材にて閉塞することにより、マスク上縁側からの花粉や微粒子や病原菌等の侵入を防止し、より衛生的に呼吸することができるようにしている。
この上部閉塞部材としては、弾性や可塑性や可撓性を有するシート状もしくは塊（パッド）状の部材を用いることができるが、具体的に次の（１）、（２）の構成を挙げることができる。
（１）上部閉塞部材が、マスク本体の裏面側の上縁近傍に、内側に折り返し可能に取り付けられる弾性フラップからなる。この弾性フラップは、例えば１〜５ｍｍのスポンジ、布地、これらの複合体等を構成材料に用いることができ、その左右中央寄りの内端側が、該フラップを内側に折り返したときに鼻梁又はその近傍に沿うような形状に形成される。例えば、略台形状、略矩形状、略三角形状、略楕円形状等の所望の形状に形成した２枚の弾性フラップを、その下端側をマスク本体の裏面側の上縁近傍にそれぞれ縫い付け、上端側を内側へ折り返してマスクを装着する。また、弾性フラップを内側へ折り返し、少なくともその外端部を予めマスクの内面に縫い付けたり接着等により固定してもよい。
（２）上部閉塞部材が、マスク本体の裏面側の上縁近傍で、かつ左右中央寄りに付設されるパッド材からなる。このパッド材としては、弾性パッド、あるいは外力に応じて変形可能な可塑性パッドが好ましく、さらにはマスク本体に一体的に取り付けられたもの、あるいはマスク本体に対して別体で着脱可能なものであってもよい。一体的に取り付けられたものとしては、例えば、マスク本体の所定部位にパッドを構成するポケット状のパッド保持部を左右１対又は連通して設け、その保持部の中にスポンジ体、軟質ゴム体、軟質プラスチック体等の弾性体を入れて縫い込んで弾性パッドを形成したり、流動性を維持する粉体やゲル状物又は液体を充填封入した袋体を入れ込んで縫い込んで可塑性パッドを形成したり、あるいは先に布袋に上記弾性体又は袋体を入れて縫い込んでパッド材を形成し、後でパッド材をマスク本体に縫い付ける構成が挙げられる。着脱可能なものとしては、例えば、上述のように布袋に弾性体又は袋体を入れて縫い込んで形成したパッド材とマスク本体に、面状ファスナーのフック部とループ部を縫い付けておき、フック部とループ部の掛合により上部パッド材がマスク本体に取り付けられ、フック部とループ部の離脱により上部パッド材がマスク本体から取り外される。なお、弾性フラップ又は弾性パッドに用いられる各種弾性体の弾性力は、長時間マスクをつけていてもその押圧が苦にならない程度のもので、かつ十分な閉塞性を確保できる程度のものが好ましい。また、可塑性パッドを構成する粉体としては砂、酸化チタン、ケイ酸アルミニウム等の無機粉体や粒状体等を用いることができ、ゲル状物としてはカルボキシビニルポリマー（カーボポール）、ポリアクリル酸又はその塩類等を用いることができ、液体としてはシリコーンオイル等を用いることができ、いずれも人体に無害な物質が望ましい。
【００１１】
また、本考案のマスクは、マスク本体の裏面側の下縁近傍に設けられ、装着時に少なくとも下唇の下部とマスク本体下縁部との間に形成され得る隙間を閉塞する下部閉塞部材をさらに備えてなるものであってもよい。
つまり、マスク装着時に下唇の下部とマスク本体下縁部との間に形成され得る隙間を下部閉塞部材にて閉塞することにより、話をしたり食べ物を噛んだりして下顎を上下に動かしても下部閉塞部材が滑り止めとなってマスク本体がずれ上がることがなく、従来のようなマスクのずれ上がりを手で直すような煩わしさがなくなる。
この下部閉塞部材としては、マスク本体の裏面側の下縁近傍に付設される下パッド材とすることができる。この下部パッド材は、下弾性パッド、あるいは外力に応じて変形可能な下可塑性パッドが好ましく、さらに上述のようにマスク本体に一体的に取り付けられたもの、あるいはマスク本体に対して別体で着脱可能なものであってもよい。なお、下弾性パッドは、上述の上部閉塞部材と同様にスポンジ体、軟質ゴム体、軟質プラスチック体等の弾性体を布袋に入れて縫い込んだ構成とすることができ、一方下可塑性パッドは、上述の上部閉塞部材と同様に流動性を維持する粉体やゲル状物又は液体を充填封入した袋体を布袋に入れ込んで縫い込んだ構成とすることができる。
【００１２】
本考案において、耳掛け部としては、伸縮性を有するゴム紐、あるいは紐長さ調節部材を備える耳掛け紐を用いることができる。なお、紐長さ調節部材の具体構成については、後述の実施の形態にて説明する。
また、耳掛け部が耳掛け紐からなる場合には、この耳掛け紐は、その幅の略中央部で折曲げられてマスク本体の上縁部及び下縁部を挟み込んだ状態で、縫い込みまたは接着により取り付けられるようにしてもよい。つまり、耳掛け紐をマスク本体の左右両端部内側に取り付けたマスクを装着した場合では、その耳掛け紐の取付部分の跡が頬に付き易いため、このような跡を付き難くしている。
【００１３】
また、本考案のマスクは、マスク本体、耳掛け部又は紐長さ調節部材の少なくともいずれかにアクセサリが設けられているのもよい。特に、耳掛け紐の長さを調節するための紐長さ調節部材を有する場合には、この紐長さ調節部材を隠す、あるいは目立たなくする目的と、マスクをデザイン的、ファッション的に改善する目的で、アクセサリが設けられる。なお、アクセサリとしては、例えば布地やプラスチック、金属等にて蝶、リボン、ハート、星、花等の各種形状に形成されたものを挙げることができ、その取り付けは縫込みや接着等により行うことができる。
【００１４】
また、本考案のマスクは、マスク本体の外側又は内側の何れかに、マスク本体の外面又は内面を実質的に覆う大きさで、かつ直径が０．３μｍ以上の大きさの空気中の微粒子を９５％以上カットできるろ過能力を有するフィルタ部材がさらに設けられてなるものであってもよい。ここで、「直径が０．３μｍ以上の大きさの空気中の微粒子を９５％以上カットできるろ過能力」とは、ＣＤＣ（米国疾病対策センター）の「医療施設における結核感染防止のガイドライン（１９９４年）」に適合（Ｎ９５に適合）したろ過能力を意味している。
このようなフィルタ部材を備えることによって、塵、埃、花粉等よりも小さな微生物、菌等（例えば結核菌、肺炎ウイルス）をフィルタ部材にて除去することができ、このような菌の空気感染の予防、拡大に有効である。
このようなフィルタ部材は、マスク本体に着脱可能に取り付けられているのが、容易に交換できる上で好ましく、マスク本体の内側に着脱可能に取り付ける場合は、上述したフィルタ挟持部にフィルタ部材を収納すればよい。また、フィルタ部材をマスク本体の外側に着脱可能に取り付ける場合には、マスク本体の外側に着脱可能に取り付けられる通気性のマスクカバーをさらに備えることにより、フィルタ部材をマスクカバーとマスク本体との間に収納することができる。なお、マスクカバーのマスク本体への着脱手段としては、ホックや面状ファスナーなどの従来公知の方法を用いることができる。
【００１５】
以下、本考案の実施の形態を図面に基づいて詳説する。なお、本考案は実施の形態に限定されるものではない。
［実施の形態１］
図１は本考案の実施の形態１に係るマスクの正面図であり、図２は同実施の形態１のマスクの平面図であり、図３は同実施の形態１のマスクの背面図であり、図４は図１のＡ−Ａ断面図であり、図５は同実施の形態１のマスクの使用状態を示す説明図である。
実施の形態１のマスクＭは、呼吸に適した通気性を有するマスク本体１と、一対の耳掛け部２、２と、マスク本体１の左右両端部に設けられたギャザ１１、１１と、マスク本体１の内面側に設けられたフィルタ挟持部１７とを備えている。
【００１６】
マスク本体１は、図４に示すように、外面布地部１２と内面布地部１３とから二重構造に形成されている。例えば、外面布地部１２は綿布にて構成し、内面布地部１３は合成繊維布にて構成するなど内外面の素材を変えてもよく、あるいは同じくしてもよい。また、本考案のマスクＭにおいて、外面布地部１２の色は一般的な白以外にも、青、赤、黄、緑等の原色や中間色など各種色彩を選択し、病気のイメージを消し、ファッション性を付加するようにしてもよい。
【００１７】
各ギャザ１１は、マスク本体１の左右両端縁を細かくかつ密に絞って、ギャザ長をできるだけ短くし、着用したときに顔面との間に隙間をつくらない様に緻密に形成される。また、この様にギャザ長を短くするとマスク全体の湾曲度も増すので装着時の顔面との密着性がさらに良好となる点で好ましい。なお、着用時の顔面との密閉性を稼ぐために、ギャザ１１の顔面側に弾性体を設けることもできる。
【００１８】
また、マスク本体１は、開いて着用した状態で内側に呼吸用空間１６を形成可能なように前方へ湾曲している。つまり、マスク本体１は、横から見ると上下方向の中間位置よりも少し上位に頂部１４が配置された前方突出山形状（図４、図５参照）に膨らんでいる。
このようにマスク本体１の左右中間位置に前方（外側）へ膨らむ湾曲部を形成したことにより、マスク本体１の内面側にはこれとは逆の凹み１５が形成され、この凹み１５にマスク本体１を装着した使用者の鼻が収まるようになっている（図５参照）。したがって、この凹み１５によって、使用者の鼻の下に上記呼吸用空間１６が形成され、この空間１６によって使用者は鼻及び／又は口による呼吸を楽に行うことができる。なお、上記空間１６によって発声もし易くなる。また、平面状の一般的なマスクを着用した場合では、鼻筋の左右側にマスク辺縁との隙間が形成され、この隙間から外気中の花粉や病原菌がマスク内側に侵入して体内に吸入するおそれがあったが、これに対し本考案のマスクＭでは上記凹み１５が鼻筋の左右の傾斜に沿うので隙間が形成されず、上述のようなおそれがない。また、左右のギャザ１１、１１が、その絞りにより膨らみ形状を保持している。
【００１９】
左右一対の耳掛け部２、２は平らなゴム紐からなり、その幅の略中央で折り曲げられて約半分となり、その折り曲げ部にマスク本体１の上縁部及び下縁部が挟み込まれて縫い付けられている。この場合、１本の平たい紐の両端をマスク本体２０の下縁の左右中間位置で対向するように配置し、下縁を挟み込んだ状態に折り曲げて下縁に沿って縫い込み、かつ紐の長手方向中間位置をマスク本体２０の上縁の左右中間位置に配置し、上縁を挟み込んだ状態に折り曲げて上縁に沿って縫い込むことにより、耳掛け部２、２の形成及び取り付けが行われる。ゴム紐をマスク本体１にこのように取り付けることによって、マスク本体１と耳掛け部２、２との接続部が嵩張らず、長時間着用したときの顔面部への押圧を極力軽減することができる。また、この耳掛け部２、２は、ゴム紐の伸縮性により使用者の顔のサイズに対応することができると共に、平らであるためマスク着用時の耳への締め付けを緩和し、長時間着用しても耳が痛くならないように配慮している。また、このように耳掛け部２、２を構成することにより、使用者の頬に耳掛け部の跡が付き難いという利点もある。
【００２０】
ポケット状のフィルタ挟持部１７は、例えば通気性のよい網生地からなるポケット布地部４の左右端縁と下端縁を、マスク本体１の内面周縁に縫い付けることにより上方開口状に形成されている。このフィルタ挟持部１７は、少なくともその唇に接する部分には、水分をマスクの内側から外側へ移動させる材質にて構成されている。具体的には、例えば、東レ（株）の商品名：フィールドセンサーが用いられる。このようなフィルタ挟持部１７によれば、マスク内側の蒸れを軽減することができる。さらに、このフィルタ挟持部１７の少なくとも唇に接する部分には、抗菌性が付与されている。この場合、例えば、フィルタ挟持部の意図する部分に銀メッキを施して抗菌性を付与したり、また、銀メッキコーティングした繊維やポピドンヨードを含浸させた繊維等でフィルタ挟持部を構成してこれ全体に抗菌性を付与したりできる。
【００２１】
このフィルタ挟持部１７には、例えば微小な花粉、病原菌（例えば結核菌、肺炎ウイルス）、微粒子（例えばタバコの煙の微粒子、排気ガスの微粒子など）等を吸着除去し得るフィルタ１８、好ましくは上記Ｎ９５に適合するフィルタが収納される。
なお、微小な花粉や微粒子等を濾過し得る優れたフィルタとしては、例えば特許第３２８１４８０号を挙げることができる。より詳しくは、フィルタを通過する空気流の方向での断面が最大３０ミクロンを有するマイクロフィラメントのストランド織物の単一層からなり、それらのストランドは最大２０ミクロンの間隔を置いて配置され、かつ平滑な外面を有するフィルタである。マイクロフィラメントのストランドの素材としては、ポリエステル、ナイロン、ポリプロピレン、カーボン、ファイバーグラス、セラミック、金属ストランドが挙げられる。このフィルタでは、一般的に２０ミクロンよりも大きいアレルギー性の花粉を除去することができる。このような素材は市販で入手し得る。その他、濾過材の１枚の単層シート中に、濾過される微粒子の最小径よりも小さい最大径を有する複数の穴を、レーザカット、Ｘ線リソグラフィー、化学エッチング又は微孔シートの延伸によって形成するフィルタがある。レーザカット、Ｘ線リソグラフィー又は化学エッチングによる穴開けには濾過材として不織布の使用が可能であり、微孔シートの延伸による穴開けには濾過材として微孔プラスチックシートの使用が可能である。このフィルタは、タバコの煙の微粒子や車の排気ガスの微粒子等を濾過する場合に用いられ、孔径はそれらの微粒子よりも小さい０．０１ミクロン程度とされる。
【００２２】
また、上記とは別に、不織布に放射線グラフト重合法を利用して作製したフィルタを本考案のマスクに好適に用いることができる。例えば、ポリエチレンやポリプロピレン等の繊維からなる不織布に、α線、β線、γ線、電子線、紫外線等の放射線を照射してラジカルを発生させ、これにグラフトモノマーを反応させることにより所望のグラフト重合体側鎖を導入して所望の機能を具備したフィルタを製造することができる。
具体例としては、グラフトモノマーにビニルピロリドンを選択することにより、ポリビニルピロリドンを導入した不織布が得られ、これをさらにヨウ素溶液に浸漬することによってポピドンヨードが添着された不織布となり、抗菌フィルタとして好適に用いることができる。
また、グラフトモノマーにビニルベンジルトリメチルアンモニウムクロリド（ＶＢＴＡＣ）を選択しさらに適当なモノマーを存在させることにより、ＶＢＴＡＣが導入された不織布が得られ、これは花粉フィルタとして好適に用いることができる。
【００２３】
［実施の形態２］
図７は実施の形態２に係るマスクの背面図であり、図８は図７のＢ−Ｂ線断面図であり、図９は同実施の形態２のマスクの平面図であり、図１０は同実施の形態２のマスクの使用状態を示す説明図である。
【００２４】
この実施の形態２のマスクＭ２は、左右両側部にギャザ１１が形成されて前方突出山形状に膨らんだマスク本体２０と、マスク本体２０に縫い付けられた一対の耳掛け部２５、２５と、マスク本体２０の内面側に設けられたポケット布地部２４とを備え、ここまでの構成は実施の形態１と同様である。さらに、実施の形態２のマスクＭ２は、マスク本体２０の裏面側の上縁近傍で、かつ左右中央寄りに略左右対称に設けられ、装着時に両頬から鼻梁へ立ち上がる部分にフィットして、この部分とマスク本体２０の上縁部との間に形成され得る隙間を閉塞する左右一対の上部閉塞部材としてのパッド材２６、２７が、一続きの筒袋状の布２８に収納され縫い付けられている。
【００２５】
各パッド材２６、２７は、具体的にはそれぞれ外力に応じて変形可能な可塑性パッドからなり、この可塑性パッドは、本例ではスポンジの如き弾性部材から形成されているが、その他流動性を維持する粉体、ゲル状物又は液体を充填封入した袋体を布袋に入れて縫い込まれて形成されていてもよい。
【００２６】
このパッド材２６、２７を備えるマスクＭ２を装着することにより、両頬から鼻梁へ立ち上がる部分とマスク本体２０との間の隙間が閉塞されるので外気中の花粉、病原菌、微粒子（例えばタバコの煙の微粒子、排気ガスの微粒子など）等が侵入できず、使用者はより衛生的に呼吸することができる。なお、上記パッド材２６、２７は上記のように縫い付ける以外に、マスク本体に接着されるものであってもよい。また、この縫い付けや接着は、各パッド材２６、２７の上部のみにして、各パッド材２６、２７のフリーな下部にポケット布地部２４の上縁部を挿入する構成であってもよい。なお、各パッド材２６、２７は、例えば図９に示すように、略三角形の平面図を与えるような形状に形成されるものであっても良い。この場合、各パッド材はそれぞれ別体に構成されていてもよく、またこれらが一体に構成されていて、縫い付け等の取り付けにより２分割されるようなものであってもよい。
【００２７】
［実施の形態３］
図１１は本考案の実施の形態３に係るマスクを示す背面図であり、この実施の形態３のマスクＭ３は、上記実施の形態２における左右一対のパッド材２６、２７を左右一対の弾性フラップ３１、３２に替えたものであり、その他の構成は実施の形態２と同様であり、同一の要素には同一の符号を付している。
【００２８】
各弾性フラップ３１、３２は、略台形状のシート状のスポンジ体から形成されてなり、下端側がマスク本体２０の裏面側の上縁近傍にそれぞれ縫い付けられており、装着前の状態では弾性によって平面状に延びている。
【００２９】
このマスクＭ３では、各弾性フラップ３１、３２を内側へ折り曲げて装着するが、折り曲げることにより弾性フラップ３１、３２が上下逆の形状（底辺が短い台形）になり、弾性による膨らみと相まって、その左右中央寄りの内端側が鼻梁又はその近傍に沿い、かつ頬から鼻梁にかけて密着する。したがって、両頬から鼻梁へ立ち上がる部分とマスク本体２０との間の隙間が閉塞され、外気中の花粉、病原菌、微粒子（例えばタバコの煙の微粒子、排気ガスの微粒子など）等のマスクＭ３の内側への侵入が防止される。
【００３０】
［実施の形態４］
図１２は本考案の実施の形態４に係るマスクを示す背面図であり、この実施の形態４のマスクＭ４は、実施の形態３における各弾性フラップ３１、３２を内側へ折り曲げ、折り曲げて上下逆形状（底辺が短い台形）にした状態で外端部をマスク本体２０の裏面に縫い付けて固定したものである。マスクＭ４の装着前の状態では、各弾性フラップ３１、３２の折り曲げられた部分の左右中央寄りの内端側は、弾性によって膨らんでいる。マスクＭ４を装着することにより、上述のごとく弾性フラップ３１、３２はその左右中央寄りの内端側が鼻梁又はその近傍に沿い、かつ頬から鼻梁にかけて密着し、それによって両頬から鼻梁へ立ち上がる部分とマスク本体２０との間の隙間が閉塞される。
【００３１】
［実施の形態５］
図１３は本考案の実施の形態５に係るマスクを示す背面図である。この実施の形態５のマスクＭ５は、実施の形態３と同様に、マスク本体２０と、左右一対の耳掛け部２５、２５と、ポケット布地部２４ａと、左右一対のパッド材２６ａ、２７ａを備えるものであるが、各パッド材２６ａ、２７ａは、マスク本体２０の上縁近傍に縫い付けられて、図１３に示すように自由状態では内側へ折り返した状態で下部がぶらつくように垂れている。この場合、各パッド材２６ａ、２７ａは、スポンジ、ゴム、軟質プラスチック等の弾性体を収納した布袋からなる。
【００３２】
また、この実施の形態５のマスクＭ５は、上記実施の形態１〜４とは異なり、下部閉塞部材としての下パッド４０がマスク本体２０の裏面側の下縁近傍に設けられている。
このマスクＭ５の下パッド４０は、装着時に少なくとも下唇の下部とマスク本体２０の下縁部との間に形成され得る隙間を閉塞するものであり、下唇と下顎との間の窪みラインに沿う棒状に形成されており、マスク本体２０の裏面側の下縁近傍に面状ファスナーにより着脱自在に取り付けられている。具体的に下部パッド材４０は、外力に応じて変形可能な下可塑性パッドであり、この下可塑性パッドは、流動性を維持する粉体、ゲル状物又は液体を充填封入した袋体を布袋に入れて縫い込んで形成されている。
このマスクＭ５を装着することにより、上記実施の形態２の効果に加え、話をしたり食べ物を噛んだりして下顎を上下に動かした場合に下部パッド材４０が滑り止めとなり、マスク本体２０がずれ上がることが抑制され、従来のようなマスクのずれ上がりを手で直すような煩わしさがなくなる。
【００３３】
［実施の形態６］
図１４は本考案の実施の形態６に係るマスクを示す背面図である。この実施の形態６のマスクＭ６は、実施の形態４のように弾性フラップ３１、３２を有するマスク本体の裏面側の下縁近傍に下部パッド材４１が設けられたものである。なお、ポケット布地部２４ａはその上端がマスク本体２０の上縁近傍に封着され、左右の少なくともいずれか一方側にフィルタの挿入口を有している。
【００３４】
この実施の形態６の場合、下部パッド材４１は、マスク本体２０の下縁に沿って縫い付けられた細長状の布袋と、袋部内に縫い込まれたスポンジとからなり、マスク装着前の状態ではマスク本体２０の下縁付近に垂れており、装着時には図１４に示すごとく内側（上方）へ折り返され、下唇の下部とマスク本体２０との間の隙間を閉塞する。
このマスクＭ６を装着することにより、上記実施の形態３又は４の効果に加え、話をしたり食べ物を噛んだりして下顎を上下に動かした場合に下部パッド材４０が滑り止めとなり、マスク本体２０がずれ上がることが抑制され、従来のようなマスクのずれ上がりを手で直すような煩わしさがなくなる。
【００３５】
［実施の形態７］
図１５は本考案の実施の形態７に係るマスクを示す正面図であり、図１６は図１５における２点鎖線の円内の部分の拡大断面図である。
この実施の形態７のマスクＭ７は、マスク本体２０の左右側縁に設けられた耳掛け部が平らな耳掛け紐６１、６１からなり、さらに各耳掛け紐６１、６１の長さを調節する紐長さ調節部材６２、６２と、左の紐長さ調節部材６２に付設された蝶形のアクセサリ６３とを備えたものである。
【００３６】
紐長さ調節部材６２は、耳掛け紐６１の部分（途中部）であって、マスクＭ７を装着した状態で耳に触れない位置に設けられ、本実施の形態８の場合、耳掛け紐６１の上辺に設けられている。この紐長さ調節部材６２は、マスク本体２０の耳掛け紐接続部側に配置されたＯリング部材６４と、Ｏリング部材６４の近傍に配置された日の字形の調節具６５とからなる。耳掛け紐６１の上辺部分は、Ｏリング部材６４と接続する部分が切断されており、その切断部分のマスク本体２０側の端部６１ａは輪を形成して接続され、もう一方の端部６１ｂは調節具６５にへの字状に通され、Ｏリング部材６４に通されて折り返して調節具６５の端部６５ａに輪を形成して接続されている。この紐長さ調節部材６２によって、Ｏリング部材６４と調節具６５との間に耳掛け紐６１の長さを変えることができる輪状部６１ｃが形成される。つまり、調節具６５をＯリング部材６４側へ移動させれば輪状部６１ｃが短くなって耳賭け紐６１の全長が長くなり、調節具６５をＯリング部材６４から離れる方向へ移動させれば輪状部６１ｃが長くなって耳賭け紐６１の全長が短くなる。
また、アクセサリ６３は、左右の紐長さ調節部材６２の各Ｏリング部材６４、６４の表面、あるいはいずれか一方のＯリング部材６４の表面に接着されている。
【００３７】
このマスクＭ７によれば、装着する使用者の顔の大きさに対応して左右の耳掛け紐６１、６１の長さを調整することができるので、耳掛け紐が短くてマスクが装着できない、あるいは耳が痛くなるといったことや、反対に耳掛け紐が長くてマスク本体が顔にフィットせず隙間ができるといったことがなく、快適に装着することができる。また、アクセサリ６３は、無機質的な長さ調節部材６２を隠すことができると共に、マスクＭ７のファッション性を付加するワンポイントとなり、マスクの病的なイメージを和らげることができる。なお、実施の形態２〜６で説明した上閉塞部材及び／又は下閉塞部材をマスク本体Ｍ８に設けるのも好ましい。
【００３８】
［実施の形態８］
図１７は本考案の実施の形態８のマスクを示す正面図である。このマスクＭ８は、紐長さ調節部材６２の構成は上記実施の形態７と同様であるが取付位置が若干異なっている。
つまり、左右の耳掛け紐６６、６６の各上辺端部を取り付ける部位であるマスク本体２０の耳掛け紐接続部（左右側縁の上端）に、各紐長さ調節部材６２のＯリング部材６４の一部が縫い込まれている。それに伴って、アクセサリ６７もマスク本体６０の耳掛け紐接続部に取り付けられている。この場合、アクセサリ６７はリボン形であり、耳掛け紐接続部に縫い付けられている。
【００３９】
［実施の形態９］
図１８は本考案の実施の形態９のマスクの正面図であり、図１８は同実施の形態９のマスクにおける右の耳掛け紐を示す拡大断面図である。このマスクＭ９は、マスク本体２０の左右側縁に設けられた耳掛け紐７１、７１及び各耳掛け紐７１、７１の長さを調整する紐長さ調節部材７２、７２の構成が、上記実施の形態７、８とは異なっている。
【００４０】
マスクＭ９の右側について説明すると、紐長さ調節部材７２は、上記実施の形態７、８で説明した調節具６５が２個設けられてなり、各調節具６５、６５は、耳掛け紐７１の上辺及び下辺のそれぞれマスク寄りに配置されている。
耳掛け紐７１は、一端が上の調節具６５にへの字状に通されてマスク本体２０の上の耳掛け紐接続部に縫い付けられ、かつ他端が下の調節具６５の端部に輪を形成して取り付けられた上紐部７１ａと、一端が下の調節具６５にへの字状に通されてマスク本体２０の下の耳掛け紐接続部に縫い付けられ、かつ他端が上の調節具６５の端部に輪を形成して取り付けられた下紐部７１ｂとからなる。そして、耳掛け紐７１における上紐部７１ａと下紐部７１ｂが重なる部分は、全長を変えることができる重なり部７１ｃとされている。
なお、マスクＭ９の左側の耳掛け紐７１及び紐長さ調節部材７２の構成も、右側と同様である。
【００４１】
このマスクＭ９によれば、上の調節具６５及び／又は下の調節具６５をマスク本体２０から離れる方向に移動させれば重なり部７１ｃが短くなって耳賭け紐７１の全長が長くなり、上の調節具６５及び／又は下の調節具６５をマスク本体２０に近づける方向に移動させれば重なり部７１ｃが長くなって耳賭け紐７１の全長が短くなる。なお、上紐部７１ａと下紐部７１ｂのそれぞれの少なくとも接触面側は、摩擦抵抗の大きい（例えば、毛羽立ちの多い）布地にて構成したり、あるいは重なり部７１ｃにおける耳に触れない部位に筒状の絞り部材を設けることにより、装着したマスクＭ９の耳賭け紐７１が不意に伸びないように構成してもよい。また、実施の形態２〜６で説明した上閉塞部材及び／又は下閉塞部材をマスク本体２０に設けるのも好ましく、さらに実施の形態７、８で説明したアクセサリを、マスク本体２０又は耳賭け紐７１の少なくともいずれか一方に１個以上設けてもよい。
【００４２】
［実施の形態１０］
図２０は本考案の実施の形態１０のマスクを示す断面図である。このマスクＭ１０は、内外二重構造のマスク本体２０の内側からマスク挟持部が省略されたものであって、マスク本体２０の外側に通気性のマスクカバー１００が着脱可能に設けられ、さらにマスクカバー１００とマスク本体２０との間の空間にフィルタ１８が設けられたものである。このマスクカバー１００のマスク本体２０への着脱可能な取付構造としては、例えば、マスク本体の外面における上下左右の端部及びマスクカバーの内面の上下左右の端部に、ホックの雄部及び雌部あるいは面状ファスナーのループ部及びフック部をそれぞれ複数個設けるようにしてもよい。
このようにすれば、マスクカバー１００をマスク本体２０から取り外してフィルタ１８の交換が容易であり、マスク本体２０とマスクカバー１００とを個別に洗濯することもできる。
なお、一重構造のマスク本体にマスクカバー１００を着脱可能に取り付けてもよい。
［他の実施の形態］
１．上記実施の形態のマスクの二重構造のマスク本体内に、芯材を挿入して中央部分を前方へ湾曲させ保持するように構成してもよい。
２．上記実施の形態では、二重構造のマスクを例示したが、一重構造のマスクであってもよい。
３．上記実施の形態では、マスク本体の正面視形状が一般的な略矩形状の場合を例示したが、マスク本体の形状はこれに限定されず、例えば長円形、楕円形、円形、多角形（例えば略六角形）、さらに菱形、三角形等であってもよい。
４．上記実施の形態１、２では、耳掛け部がゴム紐からなる場合を例示したが、素材としては伸縮性を有さない紐でもよい。また、実施の形態１において、紐の耳掛け部の両端をネット部に縫い付けるようにすれば、ネット部の伸縮によってマスクを使用者の顔のサイズに対応させることができる。
５．上記実施の形態８、９における耳掛け紐は、上端と下端を逆にしてマスク本体に取り付けるようにしてもよい。
６．上記実施の形態１、２、３、４、５におけるポケット布地部は、実施の形態６、７と同様にしてもよい。
【図面の簡単な説明】
【００４３】
【図１】本考案の実施の形態１に係るマスクの正面図である。
【図２】図１のＡ−Ａ断面図である。
【図３】同実施の形態１のマスクの平面図である。
【図４】同実施の形態１のマスクの背面図である。
【図５】図１のＡ−Ａ断面図であって、フィルタ挟持部１７にフィルタ１８を挿入す    る状態を表す。
【図６】は同実施の形態１のマスクの使用状態を示す説明図である。
【図７】本考案の実施の形態２に係るマスクの背面図である。
【図８】図７のＢ−Ｂ線断面図である。
【図９】同実施の形態２のマスクの平面図である。
【図１０】同実施の形態２のマスクの使用状態を示す説明図である。
【図１１】本考案の実施の形態３に係るマスクの背面図である。
【図１２】本考案の実施の形態４に係るマスクの背面図である。
【図１３】本考案の実施の形態５に係るマスクの背面図である。
【図１４】本考案の実施の形態６に係るマスクの背面図である。
【図１５】本考案の実施の形態７に係るマスクの正面図である。
【図１６】図１５における２点鎖線の円内の部分の拡大断面図である。
【図１７】本考案の実施の形態８に係るマスクの正面図である。
【図１８】本考案の実施の形態９に係るマスクの正面図である。
【図１９】同実施の形態９のマスクにおける右の耳掛け紐を示す拡大断面図である。
【図２０】本考案の実施の形態１０に係るマスクの断面図である。
【符号の説明】
【００４４】
１、２０  マスク本体
２、２５、２５ａ  耳掛け部（ゴム紐）
１２  外面布地部
１３  内面布地部
１４  頂部
１６  呼吸用空間
６１、６６、７１  耳掛け紐（耳掛け部）
Ｍ〜Ｍ１０  マスク
【図１】
0003100614.tif 000003
【図２】
0003100614.tif 000004
【図３】
0003100614.tif 000005
【図４】
0003100614.tif 000006
【図５】
0003100614.tif 000007
【図６】
0003100614.tif 000008
【図７】
0003100614.tif 000009
【図８】
0003100614.tif 000010
【図９】
0003100614.tif 000011
【図１０】
0003100614.tif 000012
【図１１】
0003100614.tif 000013
【図１２】
0003100614.tif 000014
【図１３】
0003100614.tif 000015
【図１４】
0003100614.tif 000016
【図１５】
0003100614.tif 000017
【図１６】
0003100614.tif 000018
【図１７】
0003100614.tif 000019
【図１８】
0003100614.tif 000020
【図１９】
0003100614.tif 000021
【図２０】
0003100614.tif 000022